(57)【要約】【課題】本発明は小動物の地面下掘削潜行に対応し得るばかりでなく、縦鋼線下部の地面下埋設を必要とせず、かつ傾斜地面における縦鋼線の直立を維持し、かつ地面に接する縦鋼線下部屈曲部によって埋設溝を掘削することなく直立縦鋼線によるフェンス金網の基部を地面に安定支持することを目的とする。【解決手段】複数の縦鋼線１を均等間隔に互に平行に配列し、上記縦鋼線を波形横鋼線２の波形弯曲部３内に挿通交差させて接続し、上記各縦鋼線の下部をほぼ同一面内に前方又は後方に屈曲してなる小動物進入防止用フェンス金網。【選択図】図１
2007189994.tif 000002
【特許請求の範囲】
【請求項１】
複数の縦鋼線を均等間隔に互に平行に配列し、
上記縦鋼線を波形横鋼線の波形弯曲部内に挿通交差させて接続し、
上記各縦鋼線の下部をほぼ同一面内に前方又は後方に屈曲してなる動物進入防止用フェンス金網。
【請求項２】
上記各縦鋼線の上記屈曲下部を上記横鋼線と交差させた請求項１記載の動物進入防止用フェンス金網。
【請求項３】
上記縦鋼線に形成した弯曲部と上記横鋼線に形成した弯曲部とを交差させた請求項１又は２記載の動物進入防止用フェンス金網。
【発明の詳細な説明】
【技術分野】
【０００１】
本発明は平行縦鋼線と平行横鋼線とを交差させて鉄道又は道路等の両側に設立する小動物進入防止のためのフェンス（柵）に関するものである。
【背景技術】
【０００２】
従来の小動物進入防止用フェンス金網では並列縦鋼線の下端部を最下段の横鋼線より下方に延長して埋設部となし、該埋設部によって小動物の地面下よりの進入を防止した（例えば特許文献１）。
【０００３】
上記埋設部は地面を掘削する必要があり、水平又は傾斜地面で平行縦鋼線を直立させるため水平方向又は傾斜方向に埋設溝を掘削した後上記縦鋼線埋設部を埋設溝内に配置し、その後埋設溝を埋め戻す必要があった。
【０００４】
上記埋め戻しには土の締固めが設立縦鋼線の前部（表部）及び後部（裏部）の両方において行う必要があるが、長距離同一埋設溝内の複数例のフェンス金網では前後又は表裏が該金網で隔絶され前後又は表裏の同時締固め作業ができないという問題があった。
【０００５】
又上記埋設溝は地盤が岩盤では形成することができないという問題があり、地盤の変動によって縦鋼線の上記埋設部を切断する必要があった。
【０００６】
【特許文献１】特開２００２−８１２３１号
【発明の開示】
【発明が解決しようとする課題】
【０００７】
本発明は小動物の地面下掘削潜行に対応し得るばかりでなく、縦鋼線下部の地面下埋設を必要とせず、かつ傾斜地面における縦鋼線の直立を維持し、かつ地面に接する縦鋼線下部屈曲部によって埋設溝を掘削することなく直立縦鋼線によるフェンス金網の基部を地面に安定支持することを目的とする。
【課題を解決するための手段】
【０００８】
上記の目的を達成するため本発明は
第１に複数の縦鋼線を均等間隔に互に平行に配列し、上記縦鋼線を波形横鋼線の波形弯曲部内に挿通交差させて接続し、上記各縦鋼線の下部をほぼ同一面内に前方又は後方に屈曲してなる動物進入防止用フェンス金網、
第２に上記各縦鋼線の上記屈曲下部を上記横鋼線と交差させた上記第１発明記載の動物進入防止用フェンス金網、
第３に上記縦鋼線に形成した弯曲部と上記横鋼線に形成した弯曲部とを交差させた上記第１又は第２発明記載の動物進入防止用フェンス金網、
によって構成される。
【０００９】
従って地面に上記縦鋼線の下部を接し、上部の縦鋼線及び波形横鋼線によって水平及び傾斜地面上にフェンス金網を起立させ、上記下部を地面に打込んだ鉤形鋼杭等によって固定し、上記フェンス金網を水平及び又は傾斜地面に設立することができる。
【００１０】
設立に際し、上記屈曲下部を一方又は他方に互に平行に地面に接して方向を変更し、該屈曲下部の幅を地面に適応させることができる。その際直立縦鋼線はそれぞれ一方又は他方に一定角度回動する。
【００１１】
又直立縦鋼線を右又は左に平行に傾斜させることができ、それによって傾斜地面に上記縦鋼線を直立させることができる。その際上記屈曲下部は右又は左にそれぞれ同角度に回動する。
【発明の効果】
【００１２】
本発明は上述のように構成したので、縦鋼線によるフェンス金網を地面に設立するに当り、水平及び傾斜地面に縦鋼線によるフェンスを直立させた状態に設立させることができるばかりでなく、
縦鋼線の屈曲下部を地面に埋設する必要がなく、かつ屈曲下部の幅を、該下部の直立縦鋼線を右又は左に回動させるだけで縮小し、広く又は狭い水平又は傾斜地面に応じて接触させ、釘又は鉤形鋼杭等で強力に該地面に固定し得る効果がある。
【発明を実施するための最良の形態】
【００１３】
同長の縦鋼線１を複数条均等間隔に互に平行に配列し、その状態で２条又は３条の波形横鋼線２，２の波形弯曲部３内に上記縦鋼線１を挿通交差させて縦横に接続して図１（イ）図に示すフェンス金網５を形成する。
【００１４】
上記各縦鋼線１，１の下部をほぼ同一水平面内に前方又は後方に屈曲し、該屈曲下部４においても２又は３条の波形横鋼線２の波形弯曲部３内に上記屈曲下部４の縦鋼線１を挿通交差させる（図１（ハ）図に示す）。
【００１５】
上記屈曲下部４の長さは２００ｍｍ〜７００ｍｍ程度とする。
【００１６】
図３に示すように直立縦鋼線１では、３条の波形横鋼線２，２，２中の上下の横鋼線２，２の波形弯曲部３，３に対し、該弯曲部３，３と対向する波形弯曲部３’，３’を対接することができる。
【００１７】
上記波形弯曲部３は図２（イ）図に示すように交互に連続したものでも、図５（ロ）（ニ）図に示すように角形凹状のものを用いることができる。
【００１８】
そして波形弯曲部３，３’の曲率は交差する縦横鋼線１，２の直径より大であり、交差部において縦横鋼線１，２は波形弯曲部３，３’の内部を移動することができる。
【００１９】
又上記縦鋼線１と屈曲下部４との屈曲角度は必ずしも９０度でなくても良く図４（イ）図に示すように直立状態から若干傾斜させることができる。
本発明では図１（イ）図に示すように縦鋼線１を直立又は図４（イ）図に示すように傾斜させて地面６に起立させ、屈曲下部４を地面６に接し、その状態で縦鋼線１を図１（イ）（ハ）図仮想線に示すように平行傾斜させてフェンス全体を菱形にすることができる。その際屈曲下部４の縦鋼線１は矢印ａ方向に回動する。
【００２０】
又図１（ロ）図に示すように屈曲下部４の縦鋼線１を実線位置から仮想線位置に傾斜させ屈曲下部４の幅ｃを縮小させることができる。その際フェンス側の起立縦鋼線１は矢印ｂ方向に回動する。
【００２１】
起立縦鋼線１の傾倒（図１（ハ）図仮想線）と、屈曲下部４における傾斜（図１（ロ）図仮想線）とは地面６の地形に応じて同時に行うことができる。従って図６に示す屈曲下部４の３角形重複４’を避けることができ、かつフェンス設立地面６の傾斜、上記幅ｃ等に対応して屈曲下部４を地面６に接し、鉤形鋼釘(アンカー)を地面６に打込んで該下部４を地面６に固定し、起立又は直立縦鋼線１，１によるフェンスを形成するものである。
【産業上の利用可能性】
【００２２】
本発明によると水平又は傾斜地面６にフェンス金網５の設立用埋設溝を掘削する必要がなく、埋戻し作業は土盛り程度で良く、水平、傾斜地面６に簡便に小動物進入防止用フェンスを設立することができる。
【図面の簡単な説明】
【００２３】
【図１】（イ）図は本発明の小動物進入防止用フェンス金網の斜視図、（ロ）図は屈曲下部の平面図、（ハ）図は屈曲下部の正面図である。
【図２】（イ）図は上記フェンス金網の平面図、（ロ）図は（イ）図の正面図である。
【図３】図１（ハ）図の拡大側面図である。
【図４】（イ）図は傾斜縦鋼線による上記フェンス斜視図、（ロ）図は（イ）図の一部拡大正面図である。
【図５】（イ）（ロ）図は交差部の拡大平面図、（ハ）（ニ）図はそれらの拡大側面図である。
【図６】屈曲下部の端部を重複させた状態の斜視図である。
【符号の説明】
【００２４】
１          縦鋼線
２          波形横鋼線
３          波形弯曲部
４          屈曲下部
【図１】
2007189994.tif 000003
【図２】
2007189994.tif 000004
【図３】
2007189994.tif 000005
【図４】
2007189994.tif 000006
【図５】
2007189994.tif 000007
【図６】
2007189994.tif 000008